【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
２つ又は３つ以上のＲｏＦ（radio-over-fiber）トランスポンダを作動的に支持し、アップリンク及びダウンリンク光信号及び電力を運ぶテールケーブルへの結合を提供するマルチポート型アキュムレータ装置であって、
ハウジングを有し、
前記ハウジングによって支持された２つ又は３つ以上のＲｏＦトランスポンダポートを有し、各ＲｏＦトランスポンダポートは、前記ＲｏＦトランスポンダの各々にそれぞれ作動的に結合するよう構成されており、
前記ハウジングによって支持されていて、前記テールケーブルに作動的に結合するよう構成されたテールケーブルポートを有し、前記テールケーブルポートは、前記アップリンク及びダウンリンク光信号並びに前記電力を各ＲｏＦトランスポンダに提供するよう各ＲｏＦトランスポンダポートに光学的に結合されると共に電気的に結合されている、
ことを特徴とする装置。
【請求項２】
前記テールケーブルポートは、前記テールケーブルによって支持されたアップリンク及びダウンリンク光ファイバの２つ又は３つ以上の外部対を受け入れるようになっており、  前記テールケーブルポートは、アップリンク及びダウンリンク光ファイバ部分の２つ又は３つ以上の内部対を介してそれぞれ前記２つ又は３つ以上のＲｏＦトランスポンダポートに光結合されており、
前記テールケーブルポートは、前記アップリンク及びダウンリンク光ファイバの外部対を前記アップリンク及びダウンリンク光ファイバの内部対に光結合するよう構成されている、
請求項１記載の装置。
【請求項３】
前記テールケーブルポートは、前記テールケーブルによって支持されていて、前記電力を運ぶ外部電力ラインを受け入れるようになっており、
前記テールケーブルポートは、２つ又は３つ以上の内部電力ライン部分によりそれぞれ前記２つ又は３つ以上のＲｏＦトランスポンダポートに電気的に結合されており、
前記テールケーブルポートは、電力を前記ＲｏＦトランスポンダの各々に提供するよう前記外部電力ラインを前記２つ又は３つ以上の内部電力ライン部分に電気的に結合するよう構成されている、
請求項２記載の装置。
【請求項４】
前記ハウジングは、４つの側壁及び４つのＲｏＦトランスポンダポートを有し、各トランスポンダポートは、各側壁によってそれぞれ支持されている、
請求項１記載の装置。
【請求項５】
前記装置には、ピコセルラーカバレージエリアが関連しており、前記ピコセルラーカバレージエリアは、前記２つ又は３つ以上のＲｏＦトランスポンダによりそれぞれ形成された２つ又は３つ以上のピコセルラーカバレージサブエリアで構成されている、
請求項１記載の装置。
【請求項６】
前記ＲｏＦトランスポンダのうちの少なくとも１つは、調節可能なアンテナ指向性を備えたアンテナシステムを有する、
請求項１記載の装置。
【請求項７】
前記ＲｏＦトランスポンダのうちの少なくとも１つは、パッチアンテナを有する、
請求項１記載の装置。
【請求項８】
ＲｏＦワイヤレスピコセルラーシステムであって、請求項１記載のマルチポート型アキュムレータ装置を２つ又は３つ以上有し、各マルチポート型アキュムレータ装置は、前記テールケーブルの各々にそれぞれ対応関係をなして光結合されている、ＲｏＦワイヤレスピコセルラーシステム。
【請求項９】
ダウンリンク光信号を発生させ、アップリンク光信号を受け取るよう構成されたヘッドエンドユニットと、
前記アップリンク及びダウンリンク光信号を各マルチポート型アキュムレータ装置の前記トランスポンダと前記ヘッドエンドユニットとの間で分配するよう前記ヘッドエンドユニット及び各テールケーブルに光結合された分配ユニットとを更に有する、
請求項８記載のＲｏＦワイヤレスピコセルラーシステム。
【請求項１０】
ＲｏＦ（radio-over-fiber）ワイヤレスピコセルラーカバレージエリアを形成する方法であって、
２つ又は３つ以上のＲｏＦトランスポンダをハウジングで作動的に支持するステップと、
前記２つ又は３つ以上のＲｏＦトランスポンダのためのダウンリンク光信号をテールケーブルにより前記ハウジングに設けられているテールケーブルポートに提供するステップと、
前記ハウジングを介して前記ダウンリンク光信号を前記ＲｏＦトランスポンダのうちの１つ又は２つ以上に分配して前記１つ又は２つ以上のＲｏＦトランスポンダがピコセルラーカバレージエリアの形成に寄与するようにするステップとを有する、
ことを特徴とする方法。
【請求項１１】
各ＲｏＦトランスポンダは、前記ダウンリンク光信号を受け取り、前記ピコセルラーカバレージエリアの一部分を構成するピコセルラーカバレージサブエリアを形成する、
請求項１０記載の方法。
【請求項１２】
前記２つ又は３つ以上のＲｏＦトランスポンダを前記テールケーブルポートに光学的に結合されると共に電気的に結合されたＲｏＦトランスポンダポートのところで作動的に支持するステップを更に有する、
請求項１０記載の方法。
【請求項１３】
前記テールケーブル中の電力を電力ラインで運ぶステップと、
前記ハウジングを介して電力を前記テールケーブルポート及び前記ＲｏＦトランスポンダポートの各々に接続された電力ライン部分に分配して前記ＲｏＦトランスポンダの各々に電力供給するステップとを更に有する、
請求項１２記載の方法。
【請求項１４】
各ＲｏＦトランスポンダは、アンテナシステムを有し、前記方法は、前記アンテナシステムのうちの少なくとも１つの指向性を調節して前記ピコセルラーカバレージエリアへの前記対応のＲｏＦをトランスポンダの寄与度を調節するステップを更に有する、
請求項１０記載の方法。
【請求項１５】
ＲｏＦ（radio-over-fiber）ワイヤレスピコセルラーシステムのための複数のＲｏＦトランスポンダを支持するマルチポート型アキュムレータ装置であって、
ハウジングを有し、
前記ハウジングによって支持された複数のＲｏＦトランスポンダポートを有し、各ＲｏＦトランスポンダポートは、前記ＲｏＦトランスポンダの各々にそれぞれ作動的に結合するようになっており、
前記ハウジング内において前記複数のＲｏＦトランスポンダポートに光学的に結合されていて、前記複数のＲｏＦトランスポンダポートとの間でアップリンク及びダウンリンク光信号の光伝送を可能にするテールケーブルを有し、
前記テールケーブルは、電力を前記複数のＲｏＦトランスポンダポートの各々に提供するよう前記ハウジング内において前記複数のＲｏＦトランスポンダポートに電気的に結合されている、
ことを特徴とする装置。
【請求項１６】
各ＲｏＦトランスポンダポートにそれぞれ作動的に結合されたＲｏＦトランスポンダを更に有する、
請求項１５記載の装置。
【請求項１７】
各ＲｏＦトランスポンダは、指向性アンテナシステムを有し、前記指向性アンテナシステムは、関連のピコセルラーカバレージサブエリアを形成するよう構成され、前記ピコセルラーカバレージサブエリアは、前記ＲｏＦトランスポンダのうちの２つ又は３つ以上により形成されるピコセルラーカバレージエリアを構成する、
請求項１６記載の装置。
【請求項１８】
前記ハウジングによって支持され、各ＲｏＦトランスポンダポートに光学的に結合されると共に電気的に結合されたテールケーブルポートと、
テールケーブル端部のところで前記テールケーブルに作動的に固定されたテールケーブルプラグとを更に有し、
前記テールケーブルは、前記テールケーブルプラグにより前記テールケーブルポートに作動的に結合されている、
請求項１５記載の装置。